(57)【要約】【課題】  尻側の高さを足側より高くして、骨盤を寝かせない状態で座る座布団において、尻を載せる側のクッション部を座り心地が良いよう構成したものを提供する。【解決手段】  座布団１は袋体１０を備えている。袋体１０は空間を区画して二つの空間部１１，１２を有する。空間部１１，１２は、仕切地１０２により空間が独立するよう形成してある。空間部１１にはポリエステル綿１３が充填してある。空間部１２には合成樹脂製の小径のパイプ材１４が、空間部１２内にやや隙間を設けて流動可能な状態で充填してある。ポリエステル綿１３が充填された状態で、袋体１０には、表面側の地と裏面側の地とを綴じた綴じ部１５，１５が二箇所に設けてある。【選択図】        図１
2005080897.tif 000002
【特許請求の範囲】
【請求項１】
尻側の高さを足側より高くして座ることができるようにする座布団であって、
尻を載せるクッション部を構成するための空間部と、足を載せるクッション部を構成するための空間部とを有する袋体を備えており、袋体の両空間部には詰め物が充填してあり、尻を載せる側の空間部には、詰め物として流動性物質が流動可能な状態で充填してあることを特徴とする、
座布団。
【請求項２】
尻側の高さを足側より高くして座ることができるようにする座布団であって
尻を載せる場所には、流動性物質が流動可能な状態で設けてあることを特徴とする、
座布団。
【請求項３】
流動性物質は、流動性固体または液体または気体であることを特徴とする、
請求項１または２記載の座布団。
【請求項４】
尻側の高さを足側より高くして座ることができるようにする座布団の製造方法であって、
尻を載せるクッション部を構成するための空間部と、足を載せるクッション部を構成するための空間部とを有する袋体を形成し、尻を載せる側の空間部に流動性物質を流動可能な状態で充填することを特徴とする、
座布団の製造方法。
【発明の詳細な説明】
【技術分野】
【０００１】
本発明は座布団及びその製造方法に関する。更に詳しくは、尻側の高さを足側より高くし、骨盤を寝かせない状態で座ることができるようにする座布団において、座り心地を良好にしたものに関する。
【背景技術】
【０００２】
従来から椅子等に座った姿勢をとることにより、骨盤が寝た状態（下部が前方に突き出た状態）になることは知られている。人体の骨格は、座って骨盤が寝た状態になることにより、骨盤に大きな負担がかかる構造を有している。そのため長時間座り続けた場合では、腰や背中を丸めたり、足を組んだり、片方の尻に体重をかけて体をねじったり、さまざまな姿勢をとって筋肉の緊張を和らげる動作をすることが多い。
【０００３】
しかし、このような姿勢は骨盤が歪んで神経が圧迫されることがあるので好ましくなく、これが原因で腰痛や内臓の不調、肩こりや腕の痛み、偏頭痛等を起こさせることがあった。近年では、コンピュータのオペレータ等、長時間座り続ける仕事も多く、上記した症状を訴える人が増加傾向にある。
【０００４】
上記した問題は、骨盤が寝た姿勢を長時間維持しないようにすれば解決できるものと思われる。近年の研究では、骨盤の下方に所要の高さを有する当て物を設けることで、骨盤を寝かせない状態で座ることができることが分かっている。
【０００５】
ところで従来から座布団として、柔らかいクッション部と前記部分より硬く形成されたクッション部を有するものが開発されている（例えば、特許文献１、２）。
これらの座布団によれば、硬いクッション部上に尻（骨盤）を載せ、柔らかいクッション部上に足（太もも等）を載せることで、尻側の高さが足側より高くなり、骨盤を寝かせない状態で座ることができる。
【特許文献１】実開平６−２９４６１号公報
【特許文献２】登録実用新案３０１４１５３号公報
【発明の開示】
【発明が解決しようとする課題】
【０００６】
しかし、上記した従来の座布団には、次のような課題があった。
即ち、上記座布団で使用されている硬いクッション部は、硬質発泡体や硬質発泡スチロールで形成されており、座ったときの圧力によって若干は変形するが、体の形状に沿って馴染む状態までは変形せず、いわば尻の一部だけが載った状態になるので座り心地が悪かった。
【０００７】
また、硬いクッション部がそれほど変形せず、逆に柔らかいクッション部は容易に変形するので、座ったときでは硬いクッション部と柔らかいクッション部との間にはいわば段差ができた状態になっていた。そのため段差にかかる部分に痛みが生じ易く、長時間座り続けることは困難であった。この段差は、いうまでもなく硬いクッション部を柔らかくすれば解消できるが、その場合では尻側の高さが足側より高くできないので、骨盤を寝かせない状態で座るという本来の効果が得られなくなる。
【０００８】
本発明者は、尻側の高さが足側より高くでき、骨盤を寝かせない状態で座ることができる座布団について、座り心地が良いものができないものか研究を重ね、多種多様なものを詰め物として用い、それぞれに座り心地を試す実験を行った。
【０００９】
そうして流動性固体を詰め物として流動可能な状態で用いたところ、座ったときに尻側の高さが足側より高くできるようにしながらも、体の形状に沿って馴染み、なおかつ両クッション部がなだらかに連続して、間に段差ができないようにし、またはでき難くなり、好適な座り心地が得られることを知見した。
本発明は、上記知見に基づき完成されたものである。
【００１０】
本発明の目的は、尻側の高さを足側より高くし、骨盤を寝かせない状態で座ることができるようにする座布団において、座り心地が良好なものを提供することにある。
【課題を解決するための手段】
【００１１】
上記目的を達成するために講じた本発明の手段は次のとおりである。
第１の発明にあっては、
尻側の高さを足側より高くして座ることができるようにする座布団であって、
尻を載せるクッション部を構成するための空間部と、足を載せるクッション部を構成するための空間部とを有する袋体を備えており、袋体の両空間部には詰め物が充填してあり、尻を載せる側の空間部には、詰め物として流動性物質が流動可能な状態で充填してあることを特徴とする、
座布団である。
【００１２】
第２の発明にあっては、
尻側の高さを足側より高くして座ることができるようにする座布団であって
尻を載せる場所には、流動性物質が流動可能な状態で設けてあることを特徴とする、
座布団である。
【００１３】
第３の発明にあっては、
流動性物質は、流動性固体または液体または気体であることを特徴とする、
第１または第２の発明に係る座布団である。
【００１４】
第４の発明にあっては、
尻側の高さを足側より高くして座ることができるようにする座布団の製造方法であって、
尻を載せるクッション部を構成するための空間部と、足を載せるクッション部を構成するための空間部とを有する袋体を形成し、尻を載せる側の空間部に流動性物質を流動可能な状態で充填することを特徴とする、
座布団の製造方法である。
【００１５】
本発明で「座布団」という用語は、床部等に置いて使用するものだけでなく、椅子等の座面に置いて使用するものも含む概念として使用している。
【００１６】
袋体を形成するものとしては、例えば、布、皮、合成樹脂、これらの複合物等を挙げることができるが、特に限定するものではない。
【００１７】
袋体は、内部を区画して空間部を形成したものを使用することもできるし、独立した空間部を有する袋体を組み合わせて形成したものを使用することもできる。
【００１８】
足を載せる側のクッション部を構成するものとしては、例えば、合成樹脂（ウレタン、ポリエチレン、ポリスチレン、ポリエステル等、また、発泡したものでも綿状のものでも良い）、羊毛、羽毛、木綿、これらの複合物等を挙げることができるが、特に限定するものではない。
【００１９】
尻を載せる側のクッション部を構成する流動性物質としては、例えば、流動性固体（籾殻、そば殻、豆、金属粒、竹粒、木粒、籐粒、石粒、種子、合成樹脂粒（例えば、樹脂パイプ、発泡ビーズ等）、ゴム粒、これらの複合物等）、液体（粘性を有するジェル状のものを含む）、気体等を挙げることができるが限定するものではない。また、これらの物質は、尻側の高さが足側よりも高くなる範囲で、柔軟性、変形性、弾性を備えるものを使用することもできる。
【００２０】
（作  用）
本発明に係る座布団は、尻を載せる側の空間部が構成するクッション部上に尻（骨盤）を載せ、足を載せる側の空間部が構成するクッション部上に足を載せて使用される。これにより尻側の高さを足側より高くすることができ、骨盤を寝かせない状態で座ることができる。
【００２１】
本発明に係る座布団は、尻を載せる側の空間部に詰め物として流動性物質が流動可能な状態で充填してあるので、前記空間部が構成するクッション部上に尻を載せることにより、載せたときの圧力によって流動性物質がクッション部を押圧する尻や足（太もも等）の形状に沿って馴染むよう移動または変形する。
【発明の効果】
【００２２】
本発明は上記構成を備え、次の効果を有する。
（ａ）本発明に係る座布団は、尻を載せる側の空間部が構成するクッション部上に尻を載せ、足を載せる側の空間部が構成するクッション部上に足を載せて使用される。これにより尻側の高さを足側より高くすることができ、骨盤を寝かせない状態で座ることができる。
【００２３】
（ｂ）本発明に係る座布団は、尻を載せる側の空間部に詰め物として流動性物質が流動可能な状態で充填してあるので、前記空間部が構成するクッション部上に尻を載せることにより、載せたときの圧力によって流動性物質がクッション部を押圧する尻や足の形状に沿って馴染むよう移動または変形する。このように流動性物質を流動可能な状態で充填した座布団では、座った際に、クッション部が尻の一部ではなく、クッション部を押圧している体に沿って馴染む形状になるので座り心地が良い。
また、上記したように流動性物質が尻や足の形状に沿って馴染むよう移動または変形するので、尻を載せる側のクッション部と足を載せる側のクッション部とがなだらかに連続することが可能であり、間に段差ができないまたは実質的にできない状態で座ることもできる。従って、本発明に係る座布団は、座って痛くなるような箇所ができず長時間座ることも可能である。
【発明を実施するための最良の形態】
【００２４】
本発明の実施の形態を図面に基づき更に詳細に説明する。
図１は本発明に係る座布団の一実施の形態を示す斜視説明図、
図２は図１に示す座布団を下側から見た状態の斜視説明図、
図３は図１に示すＡ−Ａ部分の断面図である。
【００２５】
座布団１は、内部に詰め物を充填するための袋体１０を備えている。袋体１０は、内部の空間を区画して二つの空間部１１，１２を有するよう形成してある。本実施の形態で示す袋体１０は、平面視正方形状を有し、各空間部１１，１２に詰め物を充填したときに表面が略平らであり、所要の厚みの立方体形状を有するよう形成してある。また、袋体１０は複数枚の布地を縫い合わせて形成してある。製造方法については後に説明する。
【００２６】
袋体１０の内部に形成された二つの空間部１１，１２は、一方が足を載せる側のクッション部２０を構成する詰め物を充填するためのものであり、他方が尻を載せる側のクッション部３０を構成するためのものである。
【００２７】
二つの空間部１１，１２は、仕切地１０２を表面側の地（図４の符号１００，１０１）と裏面側の地（図４の符号１０４，１０６）と側面地１０３に縫いつけて、空間部１２が空間部１１よりも容積が小さく、各空間部１１，１２が独立した空間になっている。本実施の形態で二つの空間部１１，１２は、平面視において、空間部１２の中央部側が空間部１１側に膨出するよう、境界部が湾曲して形成してある。
【００２８】
空間部１２を形成する袋体１０には、詰め物を入れるための開口部が設けられている。開口部には側面地１０３と裏面側の地との境界部にファスナー１０５が取り付けてある。
【００２９】
空間部１１には詰め物としてポリエステル綿１３が充填されている。また空間部１２には、詰め物として流動性固体である合成樹脂製の小径のパイプ材１４が、空間部１２内に（やや隙間を設けて）流動可能な状態で、座ったときに足が載るクッション部２０との間で高低差ができる程度に充填してある。なお、このパイプ材１４の入れる量を変えることによって、尻をクッション部３０に載せたときの尻の高さを変えることができる。
【００３０】
ポリエステル綿１３が充填された状態で袋体１０には、表面側の地（図４の符号１００，１０１）と裏面側の地（図４の符号１０４，１０６）とを綴じた綴じ部１５，１５が所要間隔をあけて二箇所に設けられている。綴じ部１５，１５を設けることにより、充填されたポリエステル綿１３は空間部１１内で動き難く、また偏りも生じないようになる。
【００３１】
（作  用）
図４は図１に示す座布団の製造工程を説明するための説明図である。
図４（ａ）は足側表面地と尻側表面地とを縫い合わせる状態を示す説明図、
図４（ｂ）は両表面地の縫い合わせ部に仕切地を縫いつける状態を示す説明図、
図４（ｃ）は両表面地の周囲に側面地を縫いつける状態を示す説明図、
図４（ｄ）は側面地に尻側裏面地を縫いつける状態を示す説明図、
図４（ｅ）は側面地に足側裏面地を縫いつける状態を示す説明図、
図４（ｆ）は一方の空間部にポリエステル綿を充填し、他方の空間部にパイプ材を充填した状態を示す説明図。
【００３２】
座布団１の袋体１０は、布地である足側表面地１００、尻表面地１０１、仕切地１０２、側面地１０３、足側裏面地１０６、尻側裏面地１０４の６つの布地のパーツを縫い合わせることで形成されている。なお、各布地は縫い代が内部に設けられるように縫い合わせられる。
【００３３】
図１ないし図４を参照して、座布団１の製造方法を説明する。
(1) 空間部１１を形成する足側表面地１００と、空間部１２を形成する尻側表面地１０１の湾曲した辺を突き合わせて縫い合わせる（図４（ａ）参照）。
【００３４】
(2) 足側表面地１００と尻側表面地１０１の縫い合わせ部に、所要長さを有する長方形状の仕切地１０２を縫いつける（図４（ｂ）参照）。
【００３５】
(3) 縫い合わせた状態の足側表面地１００と尻側表面地１０１の全周に帯状の側面地１０３を縫いつけ、更に仕切地１０２の両端を側面地１０３に縫いつける（図４（ｃ）参照）。
【００３６】
(4) 尻側表面地１０１と略同じ形状を有する尻側裏面地１０４を尻側表面地１０１と対向する部分に設け、側面地１０３との境界部にファスナー１０５を取り付けるように側面地１０３と仕切地１０２に縫いつける（図４（ｄ）参照）。こうして空間部１２が形成される。
【００３７】
(5) 足側表面地１００と略同じ形状を有する足側裏面地１０６を足側表面地１００と対向する部分に設け、側面地１０３との境界部に開口した開口部１０７が形成されるように、側面地１０３と仕切地１０２と尻側裏面地１０４に縫いつける（図４（ｅ）参照）。こうして空間部１１が形成される。
【００３８】
(6) パイプ材１４を空間部１２に充填し、ファスナー１０５を閉じてパイプ材１４が外部に出ないようにする（図４（ｆ）参照）。パイプ材１４は、空間部１２内で流動可能で、座ったときに足が載るクッション部２０との間で高低差ができる程度に充填する。
開口した開口部１０７よりポリエステル綿１３を空間部１１に充填し、その後、側面地１０３と足側裏面地１０６とを縫い合わせて開口部１０７を閉じる（図４（ｆ）参照）。
【００３９】
(7) 空間部１１にポリエステル綿１３を充填した状態で足側表面地１００と足側裏面地１０６とを綴じて綴じ部１５，１５を設ける（図１、図２参照）。
以上により座布団１が製造される。
【００４０】
座布団１は、クッション部３０が背面側に位置するようにして、パイプ材１４を充填して形成されたクッション部３０上に尻（骨盤）を載せ、ポリエステル綿１３を充填して形成されたクッション部２０上に足を載せて使用される。これにより尻側の高さを足側より高くすることができ、骨盤を寝かせない状態で座ることができる。
【００４１】
座布団１は、クッション部３０上に尻を載せて座ると、空間部１２に充填されたパイプ材１４が空間部１２内に隙間をもって流動可能な状態で充填されているので、座ったときの圧力によってパイプ材１４がクッション部３０を押圧する尻や足（太もも）の形状に沿って馴染むよう移動する。このように座布団１では、座った際に、クッション部が尻の一部ではなく、クッション部３０を押圧している体に沿って馴染む形状になるので座り心地が良い。
【００４２】
また、座布団１では、上記したようにパイプ材１４が尻や足の形状に沿って馴染むよう移動するので、座ったときに尻側の高さを足側より高くしながらも、クッション部３０とクッション部２０とがなだらかに連続することが可能であり、間に段差ができないまたは実質的にできない状態で座ることもできる。従って、座布団１は、座って痛くなるような箇所ができず長時間座ることも可能である。
【００４３】
更に、座布団１では、空間部１１と空間部１２を仕切る仕切地１０２が、平面視において、空間部１２の中央部側が空間部１１側に膨出するよう湾曲して設けてあるので、クッション部３０の中央部側も両端側より空間部１１側に膨出するよう形成されている。これによりクッション部３０上に尻を載せた場合でも、足のつけ根部分についてはクッション部３０からクッション部２０にかけて載るようにでき、より楽な姿勢で座ることができる。
【００４４】
なお、座布団１の製造方法は、本実施の形態で示すものに限定するものではなく、他の方法により製造することもできる。
【００４５】
また、座布団１の形状も特に限定するものではなく、例えば、平面視において、略三角形状、略五角形状、略六角形状、略円形状、略楕円形状等に形成することもできる。更に、各空間部の大きさや形状も特に限定するものではなく、種々に設定可能である。
【００４６】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００４７】
【図１】本発明に係る座布団の一実施の形態を示す斜視説明図。
【図２】図１に示す座布団を下側から見た状態の斜視説明図。
【図３】図１に示すＡ−Ａ部分の断面図。
【図４】図１に示す座布団の製造工程を説明するための説明図。
【符号の説明】
【００４８】
１  座布団
１０  袋体
１００  足側表面地
１０１  尻側表面地
１０２  仕切地
１０３  側面地
１０４  尻側裏面地
１０５  ファスナー
１０６  足側裏面地
１０７  開口部
１１  空間部
１２  空間部
１３  ポリエステル綿
１４  パイプ材
１５  綴じ部
２０  クッション部
３０  クッション部
【図１】
2005080897.tif 000003
【図２】
2005080897.tif 000004
【図３】
2005080897.tif 000005
【図４】
2005080897.tif 000006